【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
外部を流れる被冷却流体と冷媒との間で熱交換を行う冷媒蒸発器であって、
前記被冷却流体の流れ方向に対して直列に配置された第１蒸発部（２０）および第２蒸発部（１０）を備え、
前記第１蒸発部（２０）および前記第２蒸発部（１０）それぞれは、
冷媒が流れる複数のチューブ（１１１、２１１）を積層して構成された熱交換コア部（１１、２１）と、
前記複数のチューブ（１１１、２１１）の両端部に接続され、前記複数のチューブ（１１１、２１１）を流れる冷媒の集合あるいは分配を行う一対のタンク部（１２、１３、２２、２３）と、を有し、
前記第１蒸発部（２０）における前記熱交換コア部（２１）は、前記複数のチューブ（２１１）のうち、一部のチューブ群で構成される第１コア部（２１ａ）、および残部のチューブ群で構成される第２コア部（２１ｂ）を有し、
前記第２蒸発部（１０）における前記熱交換コア部（１１）は、前記複数のチューブ（１１１）のうち、前記被冷却流体の流れ方向において前記第１コア部（２１ａ）の少なくとも一部と対向するチューブ群で構成される第３コア部（１１ａ）、および前記被冷却流体の流れ方向において前記第２コア部（２１ｂ）の少なくとも一部と対向するチューブ群で構成される第４コア部（１１ｂ）を有し、
前記第１蒸発部（２０）における前記一対のタンク部（２２、２３）のうち、一方のタンク部（２３）は、前記第１コア部（２１ａ）からの冷媒を集合させる第１冷媒集合部（２３ａ）、前記第２コア部（２１ｂ）からの冷媒を集合させる第２冷媒集合部（２３ｂ）を含んで構成され、
前記第２蒸発部（１０）における前記一対のタンク部（１２、１３）のうち、一方のタンク部（１３）は、前記第３コア部（１１ａ）に冷媒を分配させる第１冷媒分配部（１３ａ）、前記第４コア部（１１ｂ）に冷媒を分配させる第２冷媒分配部（１３ｂ）を含んで構成され、
前記第１蒸発部（２０）および前記第２蒸発部（１０）は、前記第１冷媒集合部（２３ａ）の冷媒を前記第２冷媒分配部（１３ｂ）に導く第１連通部（３１ａ、３２ｂ、３３ａ）、および前記第２冷媒集合部（２３ｂ）の冷媒を前記第１冷媒分配部（１３ａ）に導く第２連通部（３１ｂ、３２ａ、３３ｂ）を有する冷媒入替部（３０）を介して連結されており、
前記第１冷媒分配部（１３ａ）には、前記第２連通部（３１ｂ、３２ａ、３３ｂ）が接続されるとともに、前記第２冷媒集合部（２３ｂ）からの冷媒を当該第１冷媒分配部（１３ａ）に流入させる冷媒流入口（１４ａ）が設けられており、
前記第２冷媒集合部（２３ｂ）には、前記第２連通部（３１ｂ、３２ａ、３３ｂ）が接続されるとともに、当該第２冷媒集合部（２３ｂ）内の冷媒を前記第１冷媒分配部（１３ａ）へ流出させる冷媒流出口（２４ｂ）が設けられており、
前記冷媒流出口（２４ｂ）と前記冷媒流入口（１４ａ）との数が異なっており、
前記第１冷媒分配部（１３ａ）には、前記第１冷媒分配部（１３ａ）内を流れる冷媒流量を調整する流量調整手段（１５）が設けられていることを特徴とする冷媒蒸発器。
【請求項２】
外部を流れる被冷却流体と冷媒との間で熱交換を行う冷媒蒸発器であって、
前記被冷却流体の流れ方向に対して直列に配置された第１蒸発部（２０）および第２蒸発部（１０）を備え、
前記第１蒸発部（２０）および前記第２蒸発部（１０）それぞれは、
冷媒が流れる複数のチューブ（１１１、２１１）を積層して構成された熱交換コア部（１１、２１）と、
前記複数のチューブ（１１１、２１１）の両端部に接続され、前記複数のチューブ（１１１、２１１）を流れる冷媒の集合あるいは分配を行う一対のタンク部（１２、１３、２２、２３）と、を有し、
前記第１蒸発部（２０）における前記熱交換コア部（２１）は、前記複数のチューブ（２１１）のうち、一部のチューブ群で構成される第１コア部（２１ａ）、および残部のチューブ群で構成される第２コア部（２１ｂ）を有し、
前記第２蒸発部（１０）における前記熱交換コア部（１１）は、前記複数のチューブ（１１１）のうち、前記被冷却流体の流れ方向において前記第１コア部（２１ａ）の少なくとも一部と対向するチューブ群で構成される第３コア部（１１ａ）、および前記被冷却流体の流れ方向において前記第２コア部（２１ｂ）の少なくとも一部と対向するチューブ群で構成される第４コア部（１１ｂ）を有し、
前記第１蒸発部（２０）における前記一対のタンク部（２２、２３）のうち、一方のタンク部（２３）は、前記第１コア部（２１ａ）からの冷媒を集合させる第１冷媒集合部（２３ａ）、前記第２コア部（２１ｂ）からの冷媒を集合させる第２冷媒集合部（２３ｂ）を含んで構成され、
前記第２蒸発部（１０）における前記一対のタンク部（１２、１３）のうち、一方のタンク部（１３）は、前記第３コア部（１１ａ）に冷媒を分配させる第１冷媒分配部（１３ａ）、前記第４コア部（１１ｂ）に冷媒を分配させる第２冷媒分配部（１３ｂ）を含んで構成され、
前記第１蒸発部（２０）および前記第２蒸発部（１０）は、前記第１冷媒集合部（２３ａ）の冷媒を前記第２冷媒分配部（１３ｂ）に導く第１連通部（３１ａ、３２ｂ、３３ａ）、および前記第２冷媒集合部（２３ｂ）の冷媒を前記第１冷媒分配部（１３ａ）に導く第２連通部（３１ｂ、３２ａ、３３ｂ）を有する冷媒入替部（３０）を介して連結されており、
前記第１冷媒分配部（１３ａ）には、前記第２連通部（３１ｂ、３２ａ、３３ｂ）が接続されるとともに、前記第２冷媒集合部（２３ｂ）からの冷媒を当該第１冷媒分配部（１３ａ）に流入させる冷媒流入口（１４ａ）が複数設けられており、
前記第１冷媒分配部（１３ａ）には、前記第１冷媒分配部（１３ａ）内を流れる冷媒流量を調整する流量調整手段（１５）が設けられていることを特徴とする冷媒蒸発器。
【請求項３】
前記第２連通部（３１ｂ、３２ａ、３３ｂ）は、複数設けられているとともに、それぞれ前記冷媒流入口（１４ａ）に接続されていることを特徴とする請求項１または２に記載の冷媒蒸発器。
【請求項４】
前記第２冷媒集合部（２３ｂ）には、前記第２連通部（３１ｂ、３２ａ、３３ｂ）が接続されるとともに、当該第２冷媒集合部（２３ｂ）内の冷媒を前記第１冷媒分配部（１３ａ）へ流出させる冷媒流出口（２４ｂ）が設けられており、
前記冷媒流入口（１４ａ）の数が、前記冷媒流出口（２４ｂ）の数より多いことを特徴とする請求項１ないし３のいずれか１つに記載の冷媒蒸発器。
【請求項５】
前記冷媒流出口（２４ｂ）の数は１つであることを特徴とする請求項４に記載の冷媒蒸発器。
【請求項６】
前記冷媒流入口（１４ａ）は、複数設けられているとともに、前記第１冷媒分配部（１３ａ）における前記チューブ（１１１）の積層方向の中心線（Ｃ）の一側と他側とに少なくとも１つずつ配置されていることを特徴とする請求項１ないし５のいずれか１つに記載の冷媒蒸発器。
【請求項７】
前記冷媒流入口（１４ａ）は、複数設けられており、
全ての前記冷媒流入口（１４ａ）は、前記第１冷媒分配部（１３ａ）における前記チューブ（１１１）の積層方向の中心線（Ｃ）の一側に配置されており、
前記第１冷媒分配部（１３ａ）における前記中心線（Ｃ）の他側には、前記流量調整手段（１５）が設けられていることを特徴とする請求項１ないし５のいずれか１つに記載の冷媒蒸発器。
【請求項８】
前記流量調整手段（１５）は、冷媒流入口（１４ａ）よりも冷媒流れ下流側に配置されていることを特徴とする請求項１ないし７のいずれか１つに記載の冷媒蒸発器。
【請求項９】
外部を流れる被冷却流体と冷媒との間で熱交換を行う冷媒蒸発器であって、
前記被冷却流体の流れ方向に対して直列に配置された第１蒸発部（２０）および第２蒸発部（１０）を備え、
前記第１蒸発部（２０）および前記第２蒸発部（１０）それぞれは、
冷媒が流れる複数のチューブ（１１１、２１１）を積層して構成された熱交換コア部（１１、２１）と、
前記複数のチューブ（１１１、２１１）の両端部に接続され、前記複数のチューブ（１１１、２１１）を流れる冷媒の集合あるいは分配を行う一対のタンク部（１２、１３、２２、２３）と、を有し、
前記第１蒸発部（２０）における前記熱交換コア部（２１）は、前記複数のチューブ（２１１）のうち、一部のチューブ群で構成される第１コア部（２１ａ）、および残部のチューブ群で構成される第２コア部（２１ｂ）を有し、
前記第２蒸発部（１０）における前記熱交換コア部（１１）は、前記複数のチューブ（１１１）のうち、前記被冷却流体の流れ方向において前記第１コア部（２１ａ）の少なくとも一部と対向するチューブ群で構成される第３コア部（１１ａ）、および前記被冷却流体の流れ方向において前記第２コア部（２１ｂ）の少なくとも一部と対向するチューブ群で構成される第４コア部（１１ｂ）を有し、
前記第１蒸発部（２０）における前記一対のタンク部（２２、２３）のうち、一方のタンク部（２３）は、前記第１コア部（２１ａ）からの冷媒を集合させる第１冷媒集合部（２３ａ）、前記第２コア部（２１ｂ）からの冷媒を集合させる第２冷媒集合部（２３ｂ）を含んで構成され、
前記第２蒸発部（１０）における前記一対のタンク部（１２、１３）のうち、一方のタンク部（１３）は、前記第３コア部（１１ａ）に冷媒を分配させる第１冷媒分配部（１３ａ）、前記第４コア部（１１ｂ）に冷媒を分配させる第２冷媒分配部（１３ｂ）を含んで構成され、
前記第１蒸発部（２０）および前記第２蒸発部（１０）は、前記第１冷媒集合部（２３ａ）の冷媒を前記第２冷媒分配部（１３ｂ）に導く第１連通部（３１ａ、３２ｂ、３３ａ）、および前記第２冷媒集合部（２３ｂ）の冷媒を前記第１冷媒分配部（１３ａ）に導く第２連通部（３１ｂ、３２ａ、３３ｂ）を有する冷媒入替部（３０）を介して連結されており、
前記第１冷媒分配部（１３ａ）には、前記第２連通部（３１ｂ、３２ａ、３３ｂ）が接続されるとともに、前記第２冷媒集合部（２３ｂ）からの冷媒を当該第１冷媒分配部（１３ａ）に流入させる冷媒流入口（１４ａ）が設けられており、
前記第２冷媒集合部（２３ｂ）には、前記第２連通部（３１ｂ、３２ａ、３３ｂ）が接続されるとともに、当該第２冷媒集合部（２３ｂ）内の冷媒を前記第１冷媒分配部（１３ａ）へ流出させる冷媒流出口（２４ｂ）が設けられており、
前記冷媒流出口（２４ｂ）と前記冷媒流入口（１４ａ）との数が異なっており、
前記冷媒流入口（１４ａ）は、複数設けられており、
全ての前記冷媒流入口（１４ａ）は、前記第１冷媒分配部（１３ａ）における前記チューブ（１１１）の積層方向の中心線（Ｃ）の一側に配置されており、
前記第１冷媒分配部（１３ａ）における前記中心線（Ｃ）の他側には、前記第１冷媒分配部（１３ａ）内を流れる冷媒流量を調整する流量調整手段（１５）が設けられていることを特徴とする冷媒蒸発器。
【請求項１０】
外部を流れる被冷却流体と冷媒との間で熱交換を行う冷媒蒸発器であって、
前記被冷却流体の流れ方向に対して直列に配置された第１蒸発部（２０）および第２蒸発部（１０）を備え、
前記第１蒸発部（２０）および前記第２蒸発部（１０）それぞれは、
冷媒が流れる複数のチューブ（１１１、２１１）を積層して構成された熱交換コア部（１１、２１）と、
前記複数のチューブ（１１１、２１１）の両端部に接続され、前記複数のチューブ（１１１、２１１）を流れる冷媒の集合あるいは分配を行う一対のタンク部（１２、１３、２２、２３）と、を有し、
前記第１蒸発部（２０）における前記熱交換コア部（２１）は、前記複数のチューブ（２１１）のうち、一部のチューブ群で構成される第１コア部（２１ａ）、および残部のチューブ群で構成される第２コア部（２１ｂ）を有し、
前記第２蒸発部（１０）における前記熱交換コア部（１１）は、前記複数のチューブ（１１１）のうち、前記被冷却流体の流れ方向において前記第１コア部（２１ａ）の少なくとも一部と対向するチューブ群で構成される第３コア部（１１ａ）、および前記被冷却流体の流れ方向において前記第２コア部（２１ｂ）の少なくとも一部と対向するチューブ群で構成される第４コア部（１１ｂ）を有し、
前記第１蒸発部（２０）における前記一対のタンク部（２２、２３）のうち、一方のタンク部（２３）は、前記第１コア部（２１ａ）からの冷媒を集合させる第１冷媒集合部（２３ａ）、前記第２コア部（２１ｂ）からの冷媒を集合させる第２冷媒集合部（２３ｂ）を含んで構成され、
前記第２蒸発部（１０）における前記一対のタンク部（１２、１３）のうち、一方のタンク部（１３）は、前記第３コア部（１１ａ）に冷媒を分配させる第１冷媒分配部（１３ａ）、前記第４コア部（１１ｂ）に冷媒を分配させる第２冷媒分配部（１３ｂ）を含んで構成され、
前記第１蒸発部（２０）および前記第２蒸発部（１０）は、前記第１冷媒集合部（２３ａ）の冷媒を前記第２冷媒分配部（１３ｂ）に導く第１連通部（３１ａ、３２ｂ、３３ａ）、および前記第２冷媒集合部（２３ｂ）の冷媒を前記第１冷媒分配部（１３ａ）に導く第２連通部（３１ｂ、３２ａ、３３ｂ）を有する冷媒入替部（３０）を介して連結されており、
前記第１冷媒分配部（１３ａ）には、前記第２連通部（３１ｂ、３２ａ、３３ｂ）が接続されるとともに、前記第２冷媒集合部（２３ｂ）からの冷媒を当該第１冷媒分配部（１３ａ）に流入させる冷媒流入口（１４ａ）が複数設けられており、
全ての前記冷媒流入口（１４ａ）は、前記第１冷媒分配部（１３ａ）における前記チューブ（１１１）の積層方向の中心線（Ｃ）の一側に配置されており、
前記第１冷媒分配部（１３ａ）における前記中心線（Ｃ）の他側には、前記第１冷媒分配部（１３ａ）内を流れる冷媒流量を調整する流量調整手段（１５）が設けられていることを特徴とする冷媒蒸発器。
【手続補正２】
【補正対象書類名】明細書
【補正対象項目名】０００９
【補正方法】変更
【補正の内容】
【０００９】
上記目的を達成するため、外部を流れる被冷却流体と冷媒との間で熱交換を行う冷媒蒸発器において、被冷却流体の流れ方向に対して直列に配置された第１蒸発部（２０）および第２蒸発部（１０）を備え、第１蒸発部（２０）および第２蒸発部（１０）それぞれは、冷媒が流れる複数のチューブ（１１１、２１１）を積層して構成された熱交換コア部（１１、２１）と、複数のチューブ（１１１、２１１）の両端部に接続され、複数のチュー
ブ（１１１、２１１）を流れる冷媒の集合あるいは分配を行う一対のタンク部（１２、１３、２２、２３）と、を有し、第１蒸発部（２０）における熱交換コア部（２１）は、複数のチューブ（２１１）のうち、一部のチューブ群で構成される第１コア部（２１ａ）、および残部のチューブ群で構成される第２コア部（２１ｂ）を有し、第２蒸発部（１０）における熱交換コア部（１１）は、複数のチューブ（１１１）のうち、被冷却流体の流れ方向において第１コア部（２１ａ）の少なくとも一部と対向するチューブ群で構成される第３コア部（１１ａ）、および被冷却流体の流れ方向において第２コア部（２１ｂ）の少なくとも一部と対向するチューブ群で構成される第４コア部（１１ｂ）を有し、第１蒸発部（２０）における一対のタンク部（２２、２３）のうち、一方のタンク部（２３）は、第１コア部（２１ａ）からの冷媒を集合させる第１冷媒集合部（２３ａ）、第２コア部（２１ｂ）からの冷媒を集合させる第２冷媒集合部（２３ｂ）を含んで構成され、第２蒸発部（１０）における一対のタンク部（１２、１３）のうち、一方のタンク部（１３）は、第３コア部（１１ａ）に冷媒を分配させる第１冷媒分配部（１３ａ）、第４コア部（１１ｂ）に冷媒を分配させる第２冷媒分配部（１３ｂ）を含んで構成され、第１蒸発部（２０）および第２蒸発部（１０）は、第１冷媒集合部（２３ａ）の冷媒を第２冷媒分配部（１３ｂ）に導く第１連通部（３１ａ、３２ｂ、３３ａ）、および第２冷媒集合部（２３ｂ）の冷媒を第１冷媒分配部（１３ａ）に導く第２連通部（３１ｂ、３２ａ、３３ｂ）を有する冷媒入替部（３０）を介して連結されており、第１冷媒分配部（１３ａ）には、第２連通部（３１ｂ、３２ａ、３３ｂ）が接続されるとともに、第２冷媒集合部（２３ｂ）からの冷媒を当該第１冷媒分配部（１３ａ）に流入させる冷媒流入口（１４ａ）が設けられており、第２冷媒集合部（２３ｂ）には、第２連通部（３１ｂ、３２ａ、３３ｂ）が接続されるとともに、当該第２冷媒集合部（２３ｂ）内の冷媒を第１冷媒分配部（１３ａ）へ流出させる冷媒流出口（２４ｂ）が設けられており、冷媒流出口（２４ｂ）と冷媒流入口（１４ａ）との数が異なっており、第１冷媒分配部（１３ａ）には、第１冷媒分配部（１３ａ）内を流れる冷媒流量を調整する流量調整手段（１５）が設けられていることを特徴とする。
【手続補正３】
【補正対象書類名】明細書
【補正対象項目名】００１０
【補正方法】変更
【補正の内容】
【００１０】
これによれば、第２冷媒集合部（２３ｂ）内の冷媒を第１冷媒分配部（１３ａ）へ流出させる冷媒流出口（２４ｂ）と、第２冷媒集合部（２３ｂ）からの冷媒を第１冷媒分配部（１３ａ）に流入させる冷媒流入口（１４ａ）との数が異なっているので、第２冷媒集合部（２３ｂ）から流出して第１冷媒分配部（１３ａ）に流入する冷媒流路が途中で分岐することになる。このため、当該冷媒流路を流通する冷媒の圧力損失を低減できるので、第３コア部（１１ａ）において液相冷媒が偏って分配されることを抑制することが可能となる。したがって、冷媒蒸発器における被冷却流体の冷却性能の低下を抑制することが可能となる。
また、第１冷媒分配部（１３ａ）において、冷媒流入口（１４ａ）から流入した冷媒が流量調整手段（１５）を通過する際に拡散するため、第１冷媒分配部（１３ａ）における冷媒の分配性を向上させることができる。
【手続補正４】
【補正対象書類名】明細書
【補正対象項目名】００１１
【補正方法】変更
【補正の内容】
【００１１】
また、請求項２に記載の発明では、外部を流れる被冷却流体と冷媒との間で熱交換を行う冷媒蒸発器において、被冷却流体の流れ方向に対して直列に配置された第１蒸発部（２０）および第２蒸発部（１０）を備え、第１蒸発部（２０）および第２蒸発部（１０）それぞれは、冷媒が流れる複数のチューブ（１１１、２１１）を積層して構成された熱交換コア部（１１、２１）と、複数のチューブ（１１１、２１１）の両端部に接続され、複数のチューブ（１１１、２１１）を流れる冷媒の集合あるいは分配を行う一対のタンク部（１２、１３、２２、２３）と、を有し、第１蒸発部（２０）における熱交換コア部（２１）は、複数のチューブ（２１１）のうち、一部のチューブ群で構成される第１コア部（２１ａ）、および残部のチューブ群で構成される第２コア部（２１ｂ）を有し、第２蒸発部（１０）における熱交換コア部（１１）は、複数のチューブ（１１１）のうち、被冷却流体の流れ方向において第１コア部（２１ａ）の少なくとも一部と対向するチューブ群で構成される第３コア部（１１ａ）、および被冷却流体の流れ方向において第２コア部（２１ｂ）の少なくとも一部と対向するチューブ群で構成される第４コア部（１１ｂ）を有し、第１蒸発部（２０）における一対のタンク部（２２、２３）のうち、一方のタンク部（２３）は、第１コア部（２１ａ）からの冷媒を集合させる第１冷媒集合部（２３ａ）、第２コア部（２１ｂ）からの冷媒を集合させる第２冷媒集合部（２３ｂ）を含んで構成され、
第２蒸発部（１０）における一対のタンク部（１２、１３）のうち、一方のタンク部（１３）は、第３コア部（１１ａ）に冷媒を分配させる第１冷媒分配部（１３ａ）、第４コア部（１１ｂ）に冷媒を分配させる第２冷媒分配部（１３ｂ）を含んで構成され、第１蒸発部（２０）および第２蒸発部（１０）は、第１冷媒集合部（２３ａ）の冷媒を第２冷媒分配部（１３ｂ）に導く第１連通部（３１ａ、３２ｂ、３３ａ）、および第２冷媒集合部（２３ｂ）の冷媒を第１冷媒分配部（１３ａ）に導く第２連通部（３１ｂ、３２ａ、３３ｂ）を有する冷媒入替部（３０）を介して連結されており、第１冷媒分配部（１３ａ）には、第２連通部（３１ｂ、３２ａ、３３ｂ）が接続されるとともに、第２冷媒集合部（２３ｂ）からの冷媒を当該第１冷媒分配部（１３ａ）に流入させる冷媒流入口（１４ａ）が複数設けられており、第１冷媒分配部（１３ａ）には、第１冷媒分配部（１３ａ）内を流れる冷媒流量を調整する流量調整手段（１５）が設けられていることを特徴とする。
【手続補正５】
【補正対象書類名】明細書
【補正対象項目名】００１２
【補正方法】変更
【補正の内容】
【００１２】
これによれば、第１冷媒分配部（１３ａ）には、第２コア部（２１ｂ）からの冷媒を当該第１冷媒分配部（１３ａ）に流入させる冷媒流入口（１４ａ）が複数設けられているので、冷媒流入口（１４ａ）が１つ設けられている場合と比較して、冷媒流入口（１４ａ）から一番離れているチューブ（１１１）端部から冷媒流入口（１４ａ）までの距離を短くすることができる。
また、第１冷媒分配部（１３ａ）において、冷媒流入口（１４ａ）から流入した冷媒が流量調整手段（１５）を通過する際に拡散するため、第１冷媒分配部（１３ａ）における冷媒の分配性を向上させることができる。
【手続補正６】
【補正対象書類名】明細書
【補正対象項目名】００１３
【補正方法】変更
【補正の内容】
【００１３】
ここで、冷媒流入口（１４ａ）とチューブ（１１１）端部との距離が短い程、冷媒の圧力損失が小さくなり当該チューブ（１１１）に流入する冷媒量が多くなる。このため、冷媒流入口（１４ａ）が１つ設けられている場合と比較して、冷媒流入口（１４ａ）から一番離れているチューブ（１１１）端部から冷媒流入口（１４ａ）までの距離を短くすることで、当該チューブ（１１１）へ流入する冷媒量が多くなる。これにより、各チューブ（１１１）へ流入する冷媒量の偏りを小さくできるので、第３コア部（１１ａ）において液相冷媒が偏って分配されることを抑制することが可能となる。したがって、冷媒蒸発器における被冷却流体の冷却性能の低下を抑制することが可能となる。
また、請求項９に記載の発明では、外部を流れる被冷却流体と冷媒との間で熱交換を行う冷媒蒸発器であって、被冷却流体の流れ方向に対して直列に配置された第１蒸発部（２０）および第２蒸発部（１０）を備え、第１蒸発部（２０）および第２蒸発部（１０）それぞれは、冷媒が流れる複数のチューブ（１１１、２１１）を積層して構成された熱交換コア部（１１、２１）と、複数のチューブ（１１１、２１１）の両端部に接続され、複数のチューブ（１１１、２１１）を流れる冷媒の集合あるいは分配を行う一対のタンク部（１２、１３、２２、２３）と、を有し、第１蒸発部（２０）における熱交換コア部（２１）は、複数のチューブ（２１１）のうち、一部のチューブ群で構成される第１コア部（２１ａ）、および残部のチューブ群で構成される第２コア部（２１ｂ）を有し、第２蒸発部（１０）における熱交換コア部（１１）は、複数のチューブ（１１１）のうち、被冷却流体の流れ方向において第１コア部（２１ａ）の少なくとも一部と対向するチューブ群で構成される第３コア部（１１ａ）、および被冷却流体の流れ方向において第２コア部（２１ｂ）の少なくとも一部と対向するチューブ群で構成される第４コア部（１１ｂ）を有し、第１蒸発部（２０）における一対のタンク部（２２、２３）のうち、一方のタンク部（２３）は、第１コア部（２１ａ）からの冷媒を集合させる第１冷媒集合部（２３ａ）、第２コア部（２１ｂ）からの冷媒を集合させる第２冷媒集合部（２３ｂ）を含んで構成され、第２蒸発部（１０）における一対のタンク部（１２、１３）のうち、一方のタンク部（１３）は、第３コア部（１１ａ）に冷媒を分配させる第１冷媒分配部（１３ａ）、第４コア部（１１ｂ）に冷媒を分配させる第２冷媒分配部（１３ｂ）を含んで構成され、第１蒸発部（２０）および第２蒸発部（１０）は、第１冷媒集合部（２３ａ）の冷媒を第２冷媒分配部（１３ｂ）に導く第１連通部（３１ａ、３２ｂ、３３ａ）、および第２冷媒集合部（２３ｂ）の冷媒を第１冷媒分配部（１３ａ）に導く第２連通部（３１ｂ、３２ａ、３３ｂ）を有する冷媒入替部（３０）を介して連結されており、第１冷媒分配部（１３ａ）には、第２連通部（３１ｂ、３２ａ、３３ｂ）が接続されるとともに、第２冷媒集合部（２３ｂ）からの冷媒を当該第１冷媒分配部（１３ａ）に流入させる冷媒流入口（１４ａ）が設けられており、第２冷媒集合部（２３ｂ）には、第２連通部（３１ｂ、３２ａ、３３ｂ）が接続されるとともに、当該第２冷媒集合部（２３ｂ）内の冷媒を第１冷媒分配部（１３ａ）へ流出させる冷媒流出口（２４ｂ）が設けられており、冷媒流出口（２４ｂ）と冷媒流入口（１４ａ）との数が異なっており、冷媒流入口（１４ａ）は、複数設けられており、全ての冷媒流入口（１４ａ）は、第１冷媒分配部（１３ａ）におけるチューブ（１１１）の積層方向の中心線（Ｃ）の一側に配置されており、第１冷媒分配部（１３ａ）における中心線（Ｃ）の他側には、第１冷媒分配部（１３ａ）内を流れる冷媒流量を調整する流量調整手段（１５）が設けられていることを特徴としている。
これによれば、請求項１に記載の発明と同様の効果を得ることができる。
また、請求項１０に記載の発明では、外部を流れる被冷却流体と冷媒との間で熱交換を行う冷媒蒸発器であって、被冷却流体の流れ方向に対して直列に配置された第１蒸発部（２０）および第２蒸発部（１０）を備え、第１蒸発部（２０）および第２蒸発部（１０）それぞれは、冷媒が流れる複数のチューブ（１１１、２１１）を積層して構成された熱交換コア部（１１、２１）と、複数のチューブ（１１１、２１１）の両端部に接続され、複数のチューブ（１１１、２１１）を流れる冷媒の集合あるいは分配を行う一対のタンク部（１２、１３、２２、２３）と、を有し、第１蒸発部（２０）における熱交換コア部（２１）は、複数のチューブ（２１１）のうち、一部のチューブ群で構成される第１コア部（２１ａ）、および残部のチューブ群で構成される第２コア部（２１ｂ）を有し、第２蒸発部（１０）における熱交換コア部（１１）は、複数のチューブ（１１１）のうち、被冷却流体の流れ方向において第１コア部（２１ａ）の少なくとも一部と対向するチューブ群で構成される第３コア部（１１ａ）、および被冷却流体の流れ方向において第２コア部（２１ｂ）の少なくとも一部と対向するチューブ群で構成される第４コア部（１１ｂ）を有し、第１蒸発部（２０）における一対のタンク部（２２、２３）のうち、一方のタンク部（２３）は、第１コア部（２１ａ）からの冷媒を集合させる第１冷媒集合部（２３ａ）、第２コア部（２１ｂ）からの冷媒を集合させる第２冷媒集合部（２３ｂ）を含んで構成され、第２蒸発部（１０）における一対のタンク部（１２、１３）のうち、一方のタンク部（１３）は、第３コア部（１１ａ）に冷媒を分配させる第１冷媒分配部（１３ａ）、第４コア部（１１ｂ）に冷媒を分配させる第２冷媒分配部（１３ｂ）を含んで構成され、第１蒸発部（２０）および第２蒸発部（１０）は、第１冷媒集合部（２３ａ）の冷媒を第２冷媒分配部（１３ｂ）に導く第１連通部（３１ａ、３２ｂ、３３ａ）、および第２冷媒集合部（２３ｂ）の冷媒を第１冷媒分配部（１３ａ）に導く第２連通部（３１ｂ、３２ａ、３３ｂ）を有する冷媒入替部（３０）を介して連結されており、第１冷媒分配部（１３ａ）には、第２連通部（３１ｂ、３２ａ、３３ｂ）が接続されるとともに、第２冷媒集合部（２３ｂ）からの冷媒を当該第１冷媒分配部（１３ａ）に流入させる冷媒流入口（１４ａ）が複数設けられており、全ての冷媒流入口（１４ａ）は、第１冷媒分配部（１３ａ）におけるチューブ（１１１）の積層方向の中心線（Ｃ）の一側に配置されており、第１冷媒分配部（１３ａ）における中心線（Ｃ）の他側には、第１冷媒分配部（１３ａ）内を流れる冷媒流量を調整する流量調整手段（１５）が設けられていることを特徴としている。
これによれば、請求項２に記載の発明と同様の効果を得ることができる。